(57)【要約】【課題】フライパン等を縦置きして収納できるだけの深さ寸法を有する収納空間を内引出に備えるものとすることが可能なキャビネットを提供する。【解決手段】前方に開口した引出収納部１１を有するキャビネット本体１０と、少なくとも前方に傾動可能な前板２２を有して前記引出収納部１１に引出可能に収納された引出２０と、収納物を収納可能な収納空間３６を内部に有して前記前板２２の前傾に連動して前方に引き出される内引出３０と、を備え、前記内引出３０は、前側下端部がその上側部分に比して後側に配置された形状をなしている。【選択図】図４
2016055124.tif 000002
【特許請求の範囲】
【請求項１】
前方に開口した引出収納部を有するキャビネット本体と、
少なくとも前方に傾動可能な前板を有して前記引出収納部に引出可能に収納された引出と、
収納物を収納可能な収納空間を内部に有して前記前板の前傾に連動して前方に引き出される内引出と、を備え、
前記内引出は、前側下端部がその上側部分に比して後側に配置された形状をなしているキャビネット。
【請求項２】
前記内引出が、前記収納空間の深さ寸法が異なる収納部を少なくとも２以上備えている請求項１に記載のキャビネット。
【請求項３】
前記内引出が、深さ寸法が異なる収納空間を有する浅い収納部と深い収納部とを備え、
前記浅い収納部と前記深い収納部とは左右方向に併設され、
前記浅い収納部の前面部は、前記深い収納部の前面部よりも後側に位置し、
前記前板のうち前記浅い収納部と対向する部分に、収納物を収納可能な収納空間を内部に有する背面収納部が取り付けられている請求項２に記載のキャビネット。
【請求項４】
前記内引出の前側部分に、前記収納物の柄を支持する支持部が設けられている請求項１ないし請求項３のいずれか一項に記載のキャビネット。
【発明の詳細な説明】
【技術分野】
【０００１】
本発明は、キャビネットに関する。
【背景技術】
【０００２】
従来、各種の収納物が収納されるキャビネットが知られている。例えば下記特許文献１に記載のキャビネットは、前後方向に出し入れ可能とされた引出の前面側に、下端を支点として前傾可能な前板が連結されている。そして、引出の上面側には、前板の前傾に連動して前方にスライド移動可能な内引出が備えられている。これにより、前板を前傾させることで、内引出が前方に引き出されるから、小物類の出し入れを容易に行うことができる。
【先行技術文献】
【特許文献】
【０００３】
【特許文献１】特許第５３４５０９７号公報
【発明の概要】
【発明が解決しようとする課題】
【０００４】
ところで、近年、フライパンや鍋等の大きな収納物を縦置きにして収納できるような深さ寸法を有する内引出が望まれている。しかしながら、そのような深さ寸法を有する収納空間を内引出に備えさせると、前板が前傾した際に内引出の前面部が前板に接触するという問題があり、対策が望まれていた。
【０００５】
本発明は上記のような事情に基づいて完成されたものであって、フライパン等を縦置きして収納できるだけの深さ寸法を有する収納空間を内引出に備えるものとすることが可能なキャビネットを提供することを目的とする。
【課題を解決するための手段】
【０００６】
本発明のキャビネットは、前方に開口した引出収納部を有するキャビネット本体と、少なくとも前方に傾動可能な前板を有して前記引出収納部に引出可能に収納された引出と、収納物を収納可能な収納空間を内部に有して前記前板の前傾に連動して前方に引き出される内引出と、を備え、前記内引出は、前側下端部がその上側部分に比して後側に配置された形状をなしている。
【発明の効果】
【０００７】
本発明によれば、内引出の収納空間の深さ寸法を大きくしたとしても、前板の前傾に連動して前方に引き出された際に、内引出の前側下端部が前板に接触することを防ぐことができるから、フライパン等を縦置きして収納できるだけの深さ寸法を有する収納空間を内引出に備えるものとすることができる。
【図面の簡単な説明】
【０００８】
【図１】実施例１におけるキャビネットの引出を示す斜視図
【図２】前板と内引出との連結構造を示す側面図
【図３】前板が前傾していない状態の引出を示す断面図
【図４】前板が前傾した状態の引出を示す断面図
【図５】実施例２におけるキャビネットの引出を示す斜視図
【発明を実施するための形態】
【０００９】
本発明の好ましい形態を以下に示す。
本発明のキャビネットは、前記内引出が、前記収納空間の深さ寸法が異なる収納部を少なくとも２以上備えているものとしてもよい。このような構成によれば、収納物をその大きさによって異なる収納部に適宜わけて収納することができるから、整然と収納することができる。
【００１０】
また、本発明のキャビネットは、前記内引出が、深さ寸法が異なる収納空間を有する浅い収納部と深い収納部とを備え、前記浅い収納部と前記深い収納部とは左右方向に併設され、前記浅い収納部の前面部は、前記深い収納部の前面部よりも後側に位置し、前記前板のうち前記浅い収納部と対向する部分に、収納物を収納可能な収納空間を内部に有する背面収納部が取り付けられているものとしてもよい。このような構成によれば、引出収納部から引出を引き出すことなく、前板を前傾させるだけで、背面収納部に収納物の出し入れをすることができる。
【００１１】
また、本発明のキャビネットは、前記内引出の前側部分に、前記収納物の柄を支持する支持部が設けられているものとしてもよい。このような構成によれば、内引出の支持部に柄を支持させて収納物を収納することで、内引出に収納した収納物をより容易に取り出すことができる。
【００１２】
＜実施例１＞
以下、本発明を具体化した実施例１について、図１〜図４を参照しつつ詳細に説明する。
本実施例におけるキャビネットは、引出２０が前後方向に出し入れ可能に備えられたものである。以下、各構成部材において、図２の左側を前方、右側を後方、上側を上方、下側を下方として説明する。
【００１３】
キャビネット本体１０には、引出２０が収容される引出収納部１１が設けられている。引出収納部１１は前面側に開口し、内側には図示しないレールが備えられている。
引出２０は、引出収納部１１に備えられたレールによって、前後方向にスライド移動可能とされている。引出２０は、引出収納部１１から前方に所定の寸法だけ引き出される引出位置と、全体が引出収納部１１に収納される収納位置との間で移動する。
【００１４】
引出２０は、前方および上方に開口した略箱型をなし、その前側の開口を塞ぐようにして前板２２が備えられている。
引出２０は、平面視略方形状をなす底板２３と、底板２３の左右両側縁に沿って立つ一対の側板２４と、底板２３の後縁に沿って立つ後板２５とを備えている。
側板２４には、棒状のステー２６を介して前板２２の背面に連結された図示しないスライド板が前後方向に移動自在に備えられ、スライド板には、側板２４の上方に突出するようにアーム部２７が設けられている（図２参照）。このアーム部２７の上端部の後面には、金属片が取り付けられている。
【００１５】
前板２２は、図２に示すように、その下端部が引出２０の下端部に連結されており、この連結部２８を支点として前後方向に揺動可能とされている。前板２２は、引出２０の底板２３に対して略垂直に立ったときに、引出収納部１１の開口を閉鎖することが可能とされている。また、前板２２は、前方へ傾動する（連結部２８を支点として上端側が前方へ変位する）ことにより、引出２０の上面側の開口を前方に広げることが可能とされている。前板２２は、引出２０が収納位置に配されている場合、引出位置に配されている場合、また収納位置と引出位置との間に配されている場合のいずれにおいても前傾可能とされている。なお、前板２２の上端部には、使用者が把持するための把持部２６が設けられている。
【００１６】
引出２０には、収納物を収納可能な収納空間を内部に有して前板２２の前傾に連動して前方に引き出される内引出３０が備えられている。内引出３０には、図２に示すように、引出２０が収納位置に配置されている際に、スライド板のアーム部２７の金属片に磁着する永久磁石４３が備えられている。そして、前板２２の傾動に伴ってスライド板が前方へ移動すると、永久磁石４３によってスライド板に連結された内引出３０が、キャビネット本体１０の前側に向けて移動する。
【００１７】
内引出３０には、フライパン等の大きな収納物６０を収納するのに適した収納部（以下、第１収納部３０Ａと称する）と、小物を収納するのに適した浅い収納部（以下、第２収納部５０と称する）とが備えられている。第１収納部３０Ａと第２収納部５０とは、図１に示すように、左右に並んで設けられており、それぞれ引出２０の略半分の領域を占める幅寸法を有している。第１収納部３０Ａおよび第２収納部５０はいずれも前板２２の前傾に連動して前方に移動可能とされている。
【００１８】
第１収納部３０Ａは、全体として引出２０の内部空間の高さ方向における略半分の領域を占める箱形状をなしている（図３参照）。第１収納部３０Ａは、平面視略方形をなす底部３１と、底部３１の周囲を囲って立つ囲い部３２とを有して上方に開放されている。
【００１９】
囲い部３２のうち左右面側に立つ側面部３３および後面側に立つ後面部３４は、底部３１に対して略垂直に立ち上がり、前面側に立つ前面部３５は、底部３１に対して斜め前方に立ち上がっている。これにより、第１収納部３０Ａは、前側下端部がその上側部分に比して後側に配置された形状をなしている。前面部３５の勾配は、図４に示すように、最大限に前傾した前板２２の勾配と同等とされている。
【００２０】
第１収納部３０Ａは、引出２０の内部空間における下部に設置されており、その上端は、前板２２の高さ方向における中心より若干上側に位置している。また、第１収納部３０Ａの全長（前後方向の寸法）は、引出２０の底板２３と同等の寸法とされている（図３参照）。
【００２１】
第１収納部３０Ａは、引出２０の内部空間の高さ寸法の略全体にわたって収納物６０を収納可能な深い収納空間（以下、第１収納空間３６と称する）を有している。第１収納空間３６は、第１収納部３０Ａの底部３１から引出収納部１１の上端にわたって形成される空間である。第１収納部３０Ａには、比較的大きな収納物６０が収納可能とされ、収納物６０は、その上端部を第１収納部３０Ａの上方に突出させた状態で第１収納部３０Ａに収納される。なお、大きな収納物６０として、例えば径寸法が比較的大きい（２６ｃｍ〜２８ｃｍ程度）のフライパンや中華鍋等が挙げられる。
【００２２】
第１収納部３０Ａの底部３１には、前端部が一段上側に位置するように段差が形成されている。これにより、第１収納部３０Ａの前端部には、後側よりも浅い収納空間を有する小収納部３７が形成されている。この小収納部３７は、鍋つかみ等の小物を収納するのに適している。小収納部３７は、第１収納部３０Ａの全幅にわたって設けられている。そして、第１収納部３０Ａの下端は、最も深いところでは連結部２８の高さと同等の高さに位置している。
【００２３】
また、第１収納部３０Ａの前側部分には、収納物６０の柄６１を支持させるのに適した支持部３８が設けられている。支持部３８は、第１収納部３０Ａの上端開口よりも上方に突出して設けられ、その突出端に柄６１が乗せられる。支持部３８は、第１収納部３０Ａの前端よりも少し後方であって、小収納部３７の形成範囲に設けられている。支持部３８は、第１収納部３０Ａの全幅にわたり設けられている。
【００２４】
第１収納部３０Ａは、金属製または樹脂製の線状をなす部材によって形成された籠状をなしている。第１収納部３０Ａは、前後方向（縦方向）に延びる縦筋３９と、左右方向（横方向）に延びる横筋４１とを有している。
【００２５】
横筋４１は、第１収納部３０Ａの底部３１と側面部３３とを形成するように屈曲されている。複数の横筋４１は、互いに略平行をなして配され、第１収納部３０Ａの前後方向における中間部のピッチが、端部のピッチよりも小さくされている。なお、第１収納部３０Ａの中間部における横筋４１のピッチは、略一定とされている。
【００２６】
縦筋３９は、第１収納部３０Ａの底部３１、前面部３５および後面部３４を形成するように屈曲されている。複数の縦筋３９は互いに略平行をなし、第１収納部３０Ａのほぼ全幅にわたり略一定のピッチで配されている。
【００２７】
第１収納部３０Ａの囲い部３２は、環状をなす補強筋４２により補強されている。補強筋４２は、第１収納部３０Ａの囲い部３２の外周を囲うようにして横筋４１および縦筋３９に連結されている。補強筋４２は、第１収納部３０Ａの高さ方向における中間部と、第１収納部３０Ａの上端部とに連結されている。
【００２８】
収納物６０は、第１収納部３０Ａ内に立った状態で複数が収納可能とされている。収納物６０は、その周縁部が縦筋３９または横筋４１に引っ掛かることで第１収納部３０Ａに位置決めされる。
【００２９】
第２収納部５０は浅い皿状をなし、引出２０の内部空間における上部に設置されている。第２収納部５０の収納空間（以下、第２収納空間５１と称する）は、第１収納空間３６よりも浅い（高さ方向に狭い）ものとされている。第２収納部５０は、例えば、箸やナイフ、フォーク等の小物の収納物（図示せず）を収納するのに適している。第２収納部５０の深さ寸法は、後方に向かって少しずつ増すものとされている。なお、第２収納部５０の下方に形成された空間にも収納物を収納することができる。
【００３０】
次に、キャビネットに例えばフライパンを出し入れする際の動作の一例を説明する。
まず、前板２２を前傾させる。使用者が引出２０の前板２２の把持部２６を手前側に引くことで、前板２２を前方に傾動させる。すると、図２に示すように、前板２２の傾動に伴って第１収納部３０Ａおよび第２収納部５０が前方にスライド移動する。この際、第１収納部３０Ａは、前側下端部がその上側部分に比して後側に配置された形状をなしているから、前板２２と接触することが防がれる。そして、前方に移動した第１収納部３０Ａおよび第２収納部５０は、その分だけ上面側が開放された状態になる。
【００３１】
次に、引出２０を収納位置から引出位置へ引き出す。使用者が前板２２の把持部２６を把持して手前側に引くことで引出２０を前方に引き出す。内引出３０は、前板２２との連結状態（近接状態）を維持したまま引出２０とともに前方に引き出される。前方に移動した第１収納部３０Ａの上面側は、上方に大きく開放された状態になる。
【００３２】
次いで、フライパンを第１収納部３０Ａに収納または第１収納部３０Ａから取り出す。フライパンを収納する場合には、柄６１を持って縦向きの姿勢にし、フライパンの本体を第１収納部３０Ａの奥側（後側）へ入れ、柄６１を支持部３８に載せる。フライパンを取り出す場合には、支持部３８に支持されて手前側に延びている柄６１を持って取り出す。
【００３３】
その後、引出２０を収納位置へ押し込む。すると、引出収納部１１の開口が前板２２によって閉鎖される。
以上により、フライパンを出し入れする際の一連の動作が完了する。
【００３４】
次に、上記のように構成された実施例の作用および効果について説明する。
本実施例のキャビネットは、前方に開口した引出収納部１１を有するキャビネット本体１０と、少なくとも前方に傾動可能な前板２２を有して引出収納部１１に引出可能に収納された引出２０と、収納物を収納可能な収納空間３６を内部に有して前板２２の前傾に連動して前方に引き出される内引出３０と、を備え、内引出３０は、前側下端部がその上側部分に比して後側に配置された形状をなしている。この構成によれば、内引出３０の収納空間３６の深さ寸法を大きくしたとしても、前板２２の前傾に連動して前方に引き出された際に、内引出３９の前側下端部が前板２２に接触することを防ぐことができるから、フライパン等を縦置きして収納できるだけの深さ寸法を有する収納空間３６を内引出３０に備えるものとすることができる。
【００３５】
また、内引出３０が、深さ寸法が異なる収納空間３６，５１を有する第１収納部３０Ａおよび第２収納部５０を備えている。この構成によれば、収納物をその大きさによって深さ寸法が異なる収納部３０Ａ，５０に適宜わけて収納することができるから、整然と収納することができる。
【００３６】
また、第１収納部３０Ａの前側部分に、収納物６０の柄６１を支持する支持部３８が設けられている。この構成によれば、第１収納部３０Ａの支持部３８に柄６１を支持させて収納物６０を収納することで、第１収納部３０Ａに収納した収納物６０をより容易に取り出すことができる。
【００３７】
＜実施例２＞
次に、本発明を具体化した実施例２に係るキャビネットを図５によって説明する。
本実施例のキャビネットは、前板２２の背面に、収納物を収納可能な収納空間を内部に有する背面収納部７０を設けた点で、実施例１とは相違する。なお、実施例１と同様の構成には同一符号を付して重複する説明を省略する。
【００３８】
本実施例に係るキャビネットは、実施例１と同様に、前方に開口した引出収納部１１を有するキャビネット本体１０と、少なくとも前方に傾動可能な前板２２を有して引出収納部１１に引出可能に収納された引出２０と、収納物を収納可能な収納空間３６を内部に有して前板２２の前傾に連動して前方に引き出される内引出３０と、を備え、内引出３０は、前側下端部がその上側部分に比して後側に配置された形状をなしている。
【００３９】
また、内引出３０は、実施例１と同様、深さ寸法が異なる収納空間３６，５１を有する第１収納部３０Ａと第２収納部５０とを有し、これらが左右方向に併設されている。第１収納部３０Ａと第２収納部５０とは一体に形成され、第２収納部５０の前面部７１は、第１収納部３０Ａの前面部３５よりも後側に位置している。
【００４０】
そして、前板２２のうち第２収納部５０と対向する部分には、収納物を収納可能な収納空間を内部に有する背面収納部７０が取り付けられている。背面収納部７０の上端部と第２収納部５０の上端部とは、略同一の高さ位置に配置され、前後方向に所定の隙間を形成して近接している。背面収納部７０の収納空間は、仕切り壁７１によって左右に区分けされている。
【００４１】
以上のように本実施例においては、内引出３０の前側下端部がその上側部分に比して後側に配置された形状をなしているから、実施例１と同様、内引出３０の収納空間３６の深さ寸法を大きくしたとしても、前板２２の前傾に連動して前方に引き出された際に、内引出３０の前側下端部が前板に接触することを防ぐことができ、もってフライパン等を縦置きして収納できるだけの深さ寸法を有する収納空間３６を内引出３０に備えるものとすることができる。
【００４２】
また、前板２２のうち第２収納部５０と対向する部分に、収納物を収納可能な収納空間を内部に有する背面収納部が設けられているから、引出収納部１１から引出２０を引き出すことなく、前板２２を前傾させるだけで、背面収納部７０から収納物を取り出し、また背面収納部７０に収納物を収納することができる。
【００４３】
＜他の実施例＞
本発明は上記記述及び図面によって説明した実施例に限定されるものではなく、例えば次のような実施例も本発明の技術的範囲に含まれる。
（１）上記実施例では、第１収納部３０Ａは、全体として引出２０の内部空間の略半分を占める高さ寸法を有する箱形状とされているが、これに限らず、例えば第１収納部は、深さ寸法が小さい皿形状をなすものであってもよく、引出の内部空間における下部に設置されることで深い収納空間を形成するものとしてもよい。
（２）上記実施例では、第１収納部３０Ａは、線状の部材で籠状に形成されているが、これに限らず、例えば第１収納部は、板状をなす壁面で形成されていてもよい。
（３）上記実施例では、引出２０に第１収納部３０Ａと第２収納部５０とが備えられているが、これに限らず、引出に第１収納部のみが備えられるものとしてもよい。
（４）上記実施例では、第１収納部３０Ａに小収納部３７が設けられているが、第１収納部に小収納部３７を設けなくてもよく、例えば第１収納部の前面部を高さ方向の全体にわたり、傾動した前板と略平行な傾斜を有するものとしてもよい。
（５）上記実施例では、第１収納部３０Ａに支持部３８が設けられているが、これに限らず、第１収納部に支持部を設けなくても良い。
（６）上記実施例では、第１収納部３０Ａに収納物６０を立てて収納する場合について説明したが、これに限らず、第１収納部に収納物を寝かせて収納しても容易に出し入れをすることができる。
（７）上記実施例では、第１収納部３０Ａが、引出２０の内部空間における高さ方向の略全体にわたって収納物６０を収納可能な第１収納空間３６を備えているが、これに限らず、第１収納空間は、引出の内部空間における略上半分領域から略下半分領域にわたって収納物を収納可能な空間、すなわち引出の内部空間における略上半分領域のみまたは略下半分領域のみに限定されない大きさの空間であればよく、例えば、第１収納部が上記実施例よりも若干上方に設置され、または第１収納部の上側にトレー等が設置されること等によりその分収納空間が若干狭くされてもよい。
（８）上記実施例では、引出２０が引出位置へ引き出されるまで、内引出３０が前板２２との連結状態を保持している場合について説明したが、これに限らず、引出が引出位置へ引き出される途中の段階で、前板と内引出との連結状態を解除し、内引出の下部に収納物を出し入れすることもできる。
【符号の説明】
【００４４】
１０…キャビネット本体
１１…引出収納部
２０…引出
２２…前板
３０…内引出
３０Ａ…第１収納部（深い収納部）
３５…前面部
３６…第１収納空間（収納空間）
３８…支持部
５０…第２収納部（浅い収納部）
５１…第２収納空間（浅い収納空間）
６０…収納物
６１…柄
７０…背面収納部
７１…前面部
【図１】
2016055124.tif 000003
【図２】
2016055124.tif 000004
【図３】
2016055124.tif 000005
【図４】
2016055124.tif 000006
【図５】
2016055124.tif 000007